(57)【特許請求の範囲】
【請求項１】
液晶表示回路に用いられる共通電圧発生回路であって、前記液晶表示回路は、データ駆動チップと、行駆動チップと、アレイ薄膜トランジスタと、前記アレイ薄膜トランジスタに対応したアレイ液晶ユニットとを含み、前記行駆動チップは、走査線を介して前記アレイ薄膜トランジスタを１行ずつオンするのに用いられ、前記データ駆動チップは、１行のＴＦＴの起動時に、データ線を介して前記１行のＴＦＴに対応した１行の液晶ユニットを充電するのに用いられ、前記アレイ薄膜トランジスタはＰ列の薄膜トランジスタを含み、
前記共通電圧発生回路はＭ個の共通電圧発生サブ回路を含み、第１共通電圧発生サブ回路のＮ個の入力端子は前記データ駆動チップから出力された隣接するＮ本のデータ線にそれぞれ接続されており、前記第１共通電圧発生サブ回路の出力端子は前記Ｎ本のデータ線に対応した液晶ユニットの共通端子に接続されており、Ｍは正の整数であり、Ｎは偶数であり、且つ、ＭはＰより小さく、ＮはＰより小さく、前記第１共通電圧発生サブ回路は前記Ｍ個の共通電圧発生サブ回路の内のいずれか１つであり、
前記第１共通電圧発生サブ回路は、隣接する２つのフレームの画面表示の空隙時間において、前記Ｎ本のデータ線の保持電圧の平均値を取得し、且つ、前記平均値を前記Ｎ本のデータ線に対応した液晶ユニットの共通端子に出力するのに用いられることを特徴とする共通電圧発生回路。
【請求項２】
前記第１共通電圧発生サブ回路は、電圧フォロアと、Ｎ個のスイッチ管とを含み、前記Ｎ個のスイッチ管のゲート電極は前記データ駆動チップの制御端子に接続されており、前記Ｎ個のスイッチ管のソース電極はそれぞれ前記Ｎ本のデータ線に接続されており、前記Ｎ個のスイッチ管のドレイン電極は前記電圧フォロアの非反転入力端子に接続されており、前記電圧フォロアの反転入力端子は前記電圧フォロアの出力端子に接続されており、前記電圧フォロアの出力端子は、前記Ｎ本のデータ線に対応した液晶ユニットの共通端子に接続されていることを特徴とする請求項１に記載の共通電圧発生回路。
【請求項３】
前記第１共通電圧発生サブ回路は、電圧フォロアと、Ｎ個のスイッチ管とを含み、前記Ｎ個のスイッチ管のゲート電極は前記データ駆動チップの制御端子に接続されており、前記Ｎ個のスイッチ管のソース電極はそれぞれ前記Ｎ本のデータ線に接続されており、第１スイッチ管のドレイン電極は前記電圧フォロアの非反転入力端子に接続されており、前記第１スイッチ管は前記Ｎ個のスイッチ管の内の１つであり、前記第１スイッチ管のソース電極は前記Ｎ個のスイッチ管の内の前記第１スイッチ管を除くその他のスイッチ管のドレイン電極に接続されており、前記電圧フォロアの反転入力端子は前記電圧フォロアの出力端子に接続されており、前記電圧フォロアの出力端子は前記Ｎ本のデータ線に対応した液晶ユニットの共通端子に接続されていることを特徴とする請求項１に記載の共通電圧発生回路。
【請求項４】
隣接する２つのフレームの画面表示の空隙時間において、前記データ駆動チップの制御端子から有効な制御信号が出力されることで、前記Ｎ個のスイッチ管がオンするように制御されることを特徴とする請求項２に記載の共通電圧発生回路。
【請求項５】
隣接する２つのフレームの画面表示の空隙時間において、前記データ駆動チップの制御端子から有効な制御信号が出力されることで、前記Ｎ個のスイッチ管がオンするように制御されることを特徴とする請求項３に記載の共通電圧発生回路。
【請求項６】
前記Ｎは２に等しいことを特徴とする請求項１に記載の共通電圧発生回路。
【請求項７】
前記Ｎは２に等しいことを特徴とする請求項２に記載の共通電圧発生回路。
【請求項８】
前記Ｎは２に等しいことを特徴とする請求項３に記載の共通電圧発生回路。
【請求項９】
前記Ｎは２に等しいことを特徴とする請求項４に記載の共通電圧発生回路。
【請求項１０】
前記Ｎは２に等しいことを特徴とする請求項５に記載の共通電圧発生回路。
【請求項１１】
前記スイッチ管は、金属酸化物半導体電界効果トランジスタであることを特徴とする請求項２または請求項３に記載の共通電圧発生回路。
【請求項１２】
前記液晶表示回路は列反転表示回路であり、前記アレイ薄膜トランジスタ中の任意の隣接する２列の薄膜トランジスタに対応した液晶ユニットの電圧極性は逆であることを特徴とする請求項１に記載の共通電圧発生回路。
【請求項１３】
前記液晶表示回路は列反転表示回路であり、前記アレイ薄膜トランジスタ中の任意の隣接する２列の薄膜トランジスタに対応した液晶ユニットの電圧極性は逆であることを特徴とする請求項２に記載の共通電圧発生回路。
【請求項１４】
前記液晶表示回路は列反転表示回路であり、前記アレイ薄膜トランジスタ中の任意の隣接する２列の薄膜トランジスタに対応した液晶ユニットの電圧極性は逆であることを特徴とする請求項３に記載の共通電圧発生回路。
【請求項１５】
液晶ディスプレイであって、前記液晶ディスプレイは、データ駆動チップと、行駆動チップと、アレイ薄膜トランジスタと、前記アレイ薄膜トランジスタに対応したアレイ液晶ユニットとを含み、前記行駆動チップは、走査線を介して前記アレイ薄膜トランジスタを１行ずつオンするのに用いられ、前記データ駆動チップは、１行のＴＦＴの起動時に、データ線を介して前記１行のＴＦＴに対応した１行の液晶ユニットを充電するのに用いられ、前記アレイ薄膜トランジスタはＰ列の薄膜トランジスタを含み、
前記液晶ディスプレイはさらに共通電圧発生回路を含み、前記共通電圧発生回路はＭ個の共通電圧発生サブ回路を含み、第１共通電圧発生サブ回路のＮ個の入力端子は前記データ駆動チップから出力された隣接するＮ本のデータ線にそれぞれ接続されており、前記第１共通電圧発生サブ回路の出力端子は前記Ｎ本のデータ線に対応した液晶ユニットの共通端子に接続されており、Ｍは正の整数であり、Ｎは偶数であり、且つ、ＭはＰより小さく、ＮはＰより小さく、前記第１共通電圧発生サブ回路は前記Ｍ個の共通電圧発生サブ回路の内のいずれか１つであり、
前記第１共通電圧発生サブ回路は、隣接する２つのフレームの画面表示の空隙時間において、前記Ｎ本のデータ線の保持電圧の平均値を取得し、且つ、前記平均値を前記Ｎ本のデータ線に対応した液晶ユニットの共通端子に出力するのに用いられることを特徴とする液晶ディスプレイ。
【請求項１６】
前記第１共通電圧発生サブ回路は、電圧フォロアと、Ｎ個のスイッチ管とを含み、前記Ｎ個のスイッチ管のゲート電極は前記データ駆動チップの制御端子に接続されており、前記Ｎ個のスイッチ管のソース電極はそれぞれ前記Ｎ本のデータ線に接続されており、前記Ｎ個のスイッチ管のドレイン電極は前記電圧フォロアの非反転入力端子に接続されており、前記電圧フォロアの反転入力端子は前記電圧フォロアの出力端子に接続されており、前記電圧フォロアの出力端子は、前記Ｎ本のデータ線に対応した液晶ユニットの共通端子に接続されていることを特徴とする請求項１５に記載の液晶ディスプレイ。
【請求項１７】
前記第１共通電圧発生サブ回路は、電圧フォロアと、Ｎ個のスイッチ管とを含み、前記Ｎ個のスイッチ管のゲート電極は前記データ駆動チップの制御端子に接続されており、前記Ｎ個のスイッチ管のソース電極はそれぞれ前記Ｎ本のデータ線に接続されており、第１スイッチ管のドレイン電極は前記電圧フォロアの非反転入力端子に接続されており、前記第１スイッチ管は前記Ｎ個のスイッチ管の内の１つであり、前記第１スイッチ管のソース電極は前記Ｎ個のスイッチ管の内の前記第１スイッチ管を除くその他のスイッチ管のドレイン電極に接続されており、前記電圧フォロアの反転入力端子は前記電圧フォロアの出力端子に接続されており、前記電圧フォロアの出力端子は前記Ｎ本のデータ線に対応した液晶ユニットの共通端子に接続されていることを特徴とする請求項１５に記載の液晶ディスプレイ。
【請求項１８】
隣接する２つのフレームの画面表示の空隙時間において、前記データ駆動チップの制御端子から有効な制御信号が出力されることで、前記Ｎ個のスイッチ管がオンするように制御されることを特徴とする請求項１７に記載の液晶ディスプレイ。
【請求項１９】
前記Ｎは２に等しいことを特徴とする請求項１５に記載の液晶ディスプレイ。
【発明の詳細な説明】
【技術分野】
【０００１】
本発明は、２０１７年０６月２２日に提出された、発明の名称を「共通電圧発生回路及び液晶ディスプレイ」とする、出願番号２０１７１０４８１７０９．１に係る先の出願に基づく優先権を主張する。前記先の出願の内容は、引用により本明細書に組み込まれている。
【０００２】
本発明は液晶ディスプレイ技術の分野に関するものであり、特に共通電圧発生回路及び液晶ディスプレイに関するものである。
【背景技術】
【０００３】
液晶分子は長時間、或る１つの固定電圧下にあることは不可能なので、現在の液晶表示モジュールはいずれも交流駆動の方法を採用しており、即ち、正極性電圧と負極性電圧が液晶ユニットに対して順番に充電を行なうものである。液晶パネルの製造工程に起因して、正極性電圧と負極性電圧は非対称が生じやすく、その際、ディスプレイスクリーンに点滅が現れて見える。
【０００４】
ディスプレイスクリーンの点滅を低減させるために、共通電圧を導入すると、正極性電圧と共通電圧との差は共通電圧と負極性電圧との差に等しくなり、スクリーンの点滅を低減させることができる。しかしながら、ディスプレイスクリーンの異なる領域での点滅の程度が異なる一方で、共通電圧は１つしか存在しないため、一部の領域のフリッカー値が比較的低くなることしか保証できず、スクリーン全体のフリッカー値が比較的低くなることを保証できない。
【発明の概要】
【発明が解決しようとする課題】
【０００５】
本発明は、共通電圧発生回路及び液晶ディスプレイを提供するものである。本発明により、液晶ディスプレイ全体の点滅の程度を低減させ、表示効果を向上させることができる。
【課題を解決するための手段】
【０００６】
本発明は、その第１案において、共通電圧発生回路を提供し、前記共通電圧発生回路は液晶表示回路に用いられるものである。前記液晶表示回路は、データ駆動チップと、行駆動チップと、アレイ薄膜トランジスタ（ＴＦＴ）と、前記アレイＴＦＴに対応したアレイ液晶ユニットとを含み、前記行駆動チップは、走査線を介して前記アレイＴＦＴを１行ずつオンするのに用いられ、前記データ駆動チップは、１行のＴＦＴの起動時に、データ線を介して前記１行のＴＦＴに対応した１行の液晶ユニットを充電するのに用いられ、前記アレイＴＦＴはＰ列のＴＦＴを含み、
前記共通電圧発生回路はＭ個の共通電圧発生サブ回路を含み、第１共通電圧発生サブ回路のＮ個の入力端子は前記データ駆動チップから出力された隣接するＮ本のデータ線にそれぞれ接続されており、前記第１共通電圧発生サブ回路の出力端子は前記Ｎ本のデータ線に対応した液晶ユニットの共通端子に接続されており、Ｍは正の整数であり、Ｎは偶数であり、且つ、ＭはＰより小さく、ＮはＰより小さく、前記第１共通電圧発生サブ回路は前記Ｍ個の共通電圧発生サブ回路の内のいずれか１つであり、
前記第１共通電圧発生サブ回路は、隣接する２つのフレームの画面表示の空隙時間において、前記Ｎ本のデータ線の保持電圧の平均値を取得し、且つ、前記平均値を前記Ｎ本のデータ線に対応した液晶ユニットの共通端子に出力するのに用いられる。
【０００７】
ここで、前記第１共通電圧発生サブ回路は、電圧フォロアと、Ｎ個のスイッチ管とを含み、前記Ｎ個のスイッチ管のゲート電極は前記データ駆動チップの制御端子に接続されており、前記Ｎ個のスイッチ管のソース電極はそれぞれ前記Ｎ本のデータ線に接続されており、前記Ｎ個のスイッチ管のドレイン電極は前記電圧フォロアの非反転入力端子に接続されており、前記電圧フォロアの反転入力端子は前記電圧フォロアの出力端子に接続されており、前記電圧フォロアの出力端子は、前記Ｎ本のデータ線に対応した液晶ユニットの共通端子に接続されている。
【０００８】
ここで、前記共通電圧発生回路は、電圧フォロアと、Ｎ個のスイッチ管とを含み、前記Ｎ個のスイッチ管のゲート電極は前記データ駆動チップの制御端子に接続されており、前記Ｎ個のスイッチ管のソース電極はそれぞれ前記Ｎ本のデータ線に接続されており、第１スイッチ管のドレイン電極は前記電圧フォロアの非反転入力端子に接続されており、前記第１スイッチ管は前記Ｎ個のスイッチ管の内の１つであり、前記第１スイッチ管のソース電極は前記Ｎ個のスイッチ管の内の前記第１スイッチ管を除くその他のスイッチ管のドレイン電極に接続されており、前記電圧フォロアの反転入力端子は前記電圧フォロアの出力端子に接続されており、前記電圧フォロアの出力端子は前記Ｎ本のデータ線に対応した液晶ユニットの共通端子に接続されている。
【０００９】
ここで、隣接する２つのフレームの画面表示の空隙時間において、前記データ駆動チップの制御端子から有効な制御信号が出力されることで、前記Ｎ個のスイッチ管がオンするように制御される。
【００１０】
ここで、前記Ｎは２に等しい。
【００１１】
ここで、前記スイッチ管は、金属酸化物半導体電界効果トランジスタである。
【００１２】
ここで、前記液晶表示回路は列反転表示回路であり、前記アレイＴＦＴ中の任意の隣接する２列のＴＦＴに対応した液晶ユニットの電圧極性は逆である。
【００１３】
本発明は、その実施形態の第２案において、前記共通電圧発生回路を含む液晶ディスプレイを提供している。
【発明の効果】
【００１４】
本発明の実施形態における共通電圧発生回路は、液晶表示回路に用いられるものである。前記液晶表示回路は、データ駆動チップと、行駆動チップと、アレイ薄膜トランジスタ（ＴＦＴ）と、前記アレイＴＦＴに対応したアレイ液晶ユニットとを含み、前記行駆動チップは、走査線を介して前記アレイＴＦＴを１行ずつオンするのに用いられ、前記データ駆動チップは、１行のＴＦＴの起動時に、データ線を介して前記１行のＴＦＴに対応した１行の液晶ユニットを充電するのに用いられる。前記共通電圧発生回路はＭ個の共通電圧発生サブ回路を含み、第１共通電圧発生サブ回路（Ｍ個の共通電圧発生サブ回路中のいずれか１つ）のＮ個の入力端子は前記データ駆動チップから出力された隣接するＮ本のデータ線にそれぞれ接続されており、前記第１共通電圧発生サブ回路の出力端子は前記Ｎ本のデータ線に対応した液晶ユニットの共通端子に接続されており、Ｎは偶数である。前記第１共通電圧発生サブ回路は、隣接する２つのフレームの画面表示の空隙時間において、前記Ｎ本のデータ線の保持電圧の平均値を取得し、且つ、前記平均値を前記Ｎ本のデータ線に対応した液晶ユニットの共通端子に出力するのに用いられる。本発明の実施形態における共通電圧発生回路は、各２フレームの画面表示の空隙時間に、Ｎ本のデータ線に対応した液晶表示ユニットの共通電圧を調整することができ、各フレームの画面のいずれもが共通電圧に対して校正を行なうことで、当該Ｎ本のデータ線に対応した液晶表示ユニットと対応する表示領域の点滅を低減させ、液晶ディスプレイ全体のフリッカー値を低減させ、表示効果を向上させることができる。
【図面の簡単な説明】
【００１５】
本発明の実施形態又は従来技術中の技術案をより明確に説明するために、以下において、実施形態又は従来技術中の技術案を記述する際に用いる必要な図面について、簡単な紹介を行なう。以下に記述する図面は明らかに、本発明の一部の実施形態を示すものにすぎない。本分野の通常の技術者にとっては、如何なる創造的労力も費やさないことを前提として、これらの図面に基づいてその他の図面を得ることができる。
【図１】本発明の実施形態で開示する共通電圧発生回路の構造概略図である。
【図２】本発明の実施形態で開示する共通電圧発生回路の具体的な構造概略図である。
【図３】本発明の実施形態で開示する他の共通電圧発生回路の具体的な構造概略図である。
【図４】本発明の実施形態で開示する液晶表示ユニットアレイの電圧極性の変化を示す図である。
【発明を実施するための形態】
【００１６】
以下において、本発明の実施形態に係る図面と合わせて、本発明の実施形態における技術案に対する明瞭で且つ完全な記述を行なう。明らかに、記述されている実施形態は、本発明の一部の実施形態にすぎず、全ての実施形態ではない。本発明の実施形態に基づいて、本分野の通常の技術者が如何なる創造的労力も費やすことなく得られた他の実施形態は、いずれも本発明の保護範囲に属するものである。
【００１７】
また、以下の各実施形態の説明は添付の図面を参照しており、本発明で実施することのできる特定の実施形態を例示的に示すものである。本発明で言及されている方向を示す用語として、例えば、「上」、「下」、「前」、「後」、「左」、「右」、「内」、「外」及び「側面」等があるが、これらは単に添付の図面中の方向を参照するためのものである。このため、用いられている方向を示す用語はより良く、より明確に本発明を説明し、及び理解するための用語であり，これら用語は、所定の装置又は部品が特定の方向性を有し、特定の方向において構築及び操作されるべきことを示すもの又は暗示するものではない。従って、これら用語は、本発明を限定するものであると理解してはならない。
【００１８】
本発明の記載における説明すべき事項として、明らかな規定又は限定がある場合を除き、用語「取り付け」、「連結」、「接続」は広義に理解されるべきであり、例えば、固定接続、着脱可能な接続又は一体型接続である場合と；機械的接続である場合と；直接連結、中間の媒介物を介した連結、二つの部品の内部での連通である場合とが考えられる。本分野における通常の技術者は、具体的な状況に基づいて、本発明におけるこれら用語の具体的な意義を理解されたい。
【００１９】
また、本発明の記載において、特に断りのない限り、「複数」が意味するところは、二つ又は二つ以上である。用語「工程」には、独立の工程のみならず、その他の工程と明確に区別することができない場合は、前記工程がその期待されている機能を実現できる限りにおいて，当該用語に含まれる。また、本明細書で「〜」と表示した数値範囲は、「〜」の前後に記載した数値をそれぞれ最小値及び最大値とし、範囲内に含まれるものとする。
【００２０】
図中、構造が類似する又は同一であるユニットには同一の符号が付されている。
【００２１】
本発明の実施形態は、共通電圧発生回路及び液晶ディスプレイを提供する。これらは液晶ディスプレイ全体のフリッカー値を低減させ、表示効果を改善することができる。以下、それぞれについて詳しい説明を行なう。
【００２２】
図１を参照されたい。図１は本発明の一実施形態に開示した共通電圧発生回路の構造概略図である。図１に示すように、本実施形態に記載した共通電圧発生回路１０は液晶表示回路２０に用いられ、前記共通電圧発生回路１０は、Ｍ個の共通電圧発生サブ回路を含み、例えば、図１に示すように、第１共通電圧発生サブ回路１１、第Ｍ共通電圧発生サブ回路１Ｍ等を含む。液晶表示回路２０は、データ駆動チップ２１と、行駆動チップ２２と、アレイ薄膜トランジスタ（図１に全体的に表示せず、具体的には、図１に示すような、薄膜トランジスタＴ１１、薄膜トランジスタＴ１２、薄膜トランジスタＴ２１、薄膜トランジスタＴ２２等）と、アレイ薄膜トランジスタＴＦＴに対応したアレイ液晶ユニット（図１に全体的に表示せず、具体的には、図１に示すような、液晶ユニットＬ１１、液晶ユニットＬ１２、液晶ユニットＬ２１、液晶ユニットＬ２２等）とを含む。行駆動チップ２２は、走査線（図１に示すような、走査線Ｇ１、走査線Ｇ２、…走査線Ｇｎ）を介して各アレイ薄膜トランジスタＴＦＴを１行ずつオンするために用いられる。データ駆動チップは、１行のＴＦＴ（例えば、第１行のＴＦＴ：薄膜トランジスタＴ１１、薄膜トランジスタＴ１２、…薄膜トランジスタＴ１ｎ）が起動する際に、データ線（例えば、図１に示すような、データ線Ｓ１、データ線Ｓ２、…データ線Ｓｎ）を介して前記１行のＴＦＴに対応した１行の液晶ユニットを充電するのに用いられ、アレイＴＦＴはＰ列のＴＦＴを含む。
【００２３】
前記第１共通電圧発生サブ回路は、前記Ｍ個の共通電圧発生サブ回路の内のいずれかであり、前記第１共通電圧発生サブ回路は、Ｎ個の入力端子及び１つ出力端子を含み、前記第１共通電圧発生サブ回路のＮ個の入力端子は、前記データ駆動チップから出力される隣接したＮ本のデータ線にそれぞれ接続されており、前記共通電圧発生サブ回路の出力端子は前記Ｎ本のデータ線に対応した液晶ユニットの共通端子に接続されており、Ｍは正の整数であり、Ｎは偶数であり、且つ、ＭはＰよりも小さく、ＮはＰよりも小さい。
【００２４】
前記第１共通電圧発生サブ回路は、隣接する２フレームの画面表示の空隙時間において、前記Ｎ本のデータ線の維持電圧の平均値を取得し、且つ、前記平均値は前記Ｎ本のデータ線に対応した液晶表示ユニットの共通端子に出力するのに用いられる。
【００２５】
本発明の実施形態では、データ駆動チップ２１から出力されるデータ線Ｓ１、Ｓ２、…Ｓｎがそれぞれ１列のＴＦＴに対応しており、図１に示すように、データ線Ｓ１は薄膜トランジスタＴ１１、薄膜トランジスタＴ２１、…、薄膜トランジスタＴｎ１の１列のＴＦＴに対応しており；データ線Ｓ２は、薄膜トランジスタＴ１２、薄膜トランジスタＴ２２、…、薄膜トランジスタＴｎ２の１列のＴＦＴに対応しており；データ線Ｓｎは、薄膜トランジスタＴ１ｎ、薄膜トランジスタＴ２ｎ、…、薄膜トランジスタＴｎｎの１列のＴＦＴに対応している。各々のＴＦＴはさらに１つの液晶ユニットに対応し、例えば、薄膜トランジスタＴ１１は液晶ユニットＬ１１に対応し、薄膜トランジスタＴ１２は液晶ユニットＬ１２に対応し、薄膜トランジスタＴ２１は液晶ユニットＬ２１に対応し、薄膜トランジスタＴ２２は、液晶ユニットＬ２２に対応し、薄膜トランジスタＴｎ１は液晶ユニットＬｎ１に対応している。
【００２６】
本発明の実施形態における液晶表示回路２０は、アレイＴＦＴの薄膜トランジスタの開閉を制御することで、液晶ユニットに対する充放電を実現するのに用いられる。図１に示す駆動アレイＴＦＴはｎ行ｎ列を例にとって説明するが、本発明の実施形態は、アレイＴＦＴの行の数と列の数が同一であることを限定するものではない。実際の製品では、駆動アレイＴＦＴは、行の数と列の数は通常異なっており、例えば、アレイＴＦＴは１９２０行１０８０列、１３６６行７６８列、１４４０行９００列、１６００行９００列等である。１フレームの画像表示過程において、前記行駆動チップ２１は、各行のＴＦＴを順次走査してオンにし、各行のＴＦＴ（例えば、第１行のＴＦＴ：薄膜トランジスタＴ１１、薄膜トランジスタＴ１２、…、薄膜トランジスタＴ１ｎ）がオンになる際に、データ駆動チップ２２はデータ線Ｓ１、Ｓ２、…、Ｓｎを介して液晶ユニットＬ１１、液晶ユニットＬ１２、…、Ｌ１ｎに対してそれぞれ充電を行なう。液晶表示スクリーン上の行ＴＦＴに対応した全ての液晶ユニットへの充電が完了した後は、即ち、１フレームの画面表示が完成する。そして、液晶表示回路２０は、次のフレームの画面のデータ線から出力される電圧を更新するための準備をし（次のフレームの画面表示を準備し）てから、次のフレームの画面表示を始める。一般的に、隣接する２フレームの画面の間には空隙時間が存在するため、次のフレーム画面のデータ線の電圧に対する準備を行なうのに用いられる。
【００２７】
液晶表示スクリーンの全体が同一の共通電圧ＶＣＯＭを用いる場合は、ＶＣＯＭの配線抵抗等に起因して、スクリーンの中間領域及び両側の領域の充電効果が異なり、フリッカー効果も異なるので、画面に点滅が現れることとなる。従って、本発明の実施形態が提供する共通電圧発生回路は、上記の問題を解決するのに用いられる。
【００２８】
本発明の実施形態では、液晶表示回路２０に適用される共通電圧発生回路は複数のサブ回路を有してもよく、共通電圧発生回路はデータ駆動チップに内蔵されていてもよい。図１は、Ｍ個（Ｍは正の整数であり、ＭはＰより小さい）の共通電圧発生サブ回路を有するものを例示している（図１に示すような、第１共通電圧発生サブ回路１１、…、第Ｍ共通電圧発生サブ回路）。ここで、前記液晶表示回路２０は列反転表示回路であり、アレイＴＦＴにおけるいずれかの隣接する２列のＴＦＴに対応した液晶ユニットの電圧極性は逆である。図１に示すように、或る１フレームの画面を表示する際、データ線Ｓ１に対応した液晶ユニットＬ１１、Ｌ２１、…、Ｌｎ１の電圧極性は正であり、隣接するデータ線Ｓ２に対応した液晶ユニットＬ１２、Ｌ２２、…、Ｌｎ２の電圧極性は負である。
【００２９】
図１に示すようないずれかの共通電圧発生サブ回路は、隣接するＮ個（Ｎは偶数）のデータ線に対応した液晶ユニットの共通電圧を調整するのに用いる。ここで、各々の共通電圧発生サブ回路が調整する隣接のデータ線の数は同一であってもよく、異なっていてもよい。例えば、第１共通電圧発生サブ回路１１は、隣接するデータ線Ｓ１とデータ線Ｓ２の２本のデータ線に対応した液晶ユニットの共通電圧を調整するのに用いられ、第２共通電圧発生サブ回路は、隣接するデータ線Ｓ３とデータ線Ｓ４の２本のデータ線に対応した液晶ユニットの共通電圧を調整するのに用いられ……第Ｍ共通電圧発生サブ回路１Ｍは、隣接するデータ線Ｓｎ−１とデータ線Ｓｎに対応した液晶ユニットの共通電圧を調整するのに用いられる。
【００３０】
さらに、例えば、第１共通電圧発生サブ回路１１は、隣接するデータ線Ｓ１とデータ線Ｓ２の２本のデータ線に対応した液晶ユニットの共通電圧を調整するのに用いられ、第２共通電圧発生サブ回路は、隣接するデータ線Ｓ３と、データ線Ｓ４と、データ線Ｓ５と、データ線Ｓ６との４本のデータ線に対応した液晶ユニットの共通電圧を調整するのに用いられ…、各々の共通電圧発生サブ回路が調整する隣接のデータ線の数は偶数（即ち、Ｎは偶数である）であればよい。本発明の技術案に対する理解の便宜上、以下において、いずれの共通電圧発生サブ回路も隣接の２本のデータ線を調整（即ち、Ｎ＝２）するのを例にとり、説明する。
【００３１】
選択的に、第１共通電圧発生サブ回路１１及び第Ｍ共通電圧発生サブ回路１Ｍは、異なるＶＣＯＭ領域にそれぞれ対応し、図１に示すように、第１共通電圧発生サブ回路１１はＶＣＯＭ１領域に対応することで、ＶＣＯＭ１領域内の液晶ユニット（即ち、データ線Ｓ１及びデータ線Ｓ２に対応する液晶ユニット）の共通電圧を調整し、第Ｍ共通電圧発生サブ回路１ＭはＶＣＯＭｍ領域に対応することで、ＶＣＯＭｍ領域内の液晶ユニット（即ち、データ線Ｓｎ-１及びデータ線Ｓｎに対応する液晶ユニット）の共通電圧を調整する。選択的に、ＶＣＯＭ１領域内の液晶ユニットの共通電圧とＶＣＯＭｍ領域内の液晶ユニットの共通電圧は異なる。
【００３２】
以下において、第１共通電圧発生サブ回路１１を例にとり、共通電圧発生回路の動作原理を説明する。第１共通電圧発生サブ回路１１は、２つの入力端子（図１に示すような、入力端子１１１及び入力端子１１２）と、１つの出力端子１１３とを含み、前記入力端子１１１はデータ駆動チップから出力されるデータ線Ｓ１に接続されており、前記入力端子１１２はデータ駆動チップから出力されるデータ線Ｓ２に接続されており、第１共通電圧発生サブ回路１１の出力端子１１３はデータ線Ｓ１とデータ線Ｓ２に対応した液晶ユニットの共通端子ＶＣＯＭ１に接続されている。１フレームの画面表示の過程において、行駆動チップ２２は走査線Ｇ１、Ｇ２、Ｇｎを介して各行の順次走査を行ない、データ駆動チップは、データ線Ｓ１とデータ線Ｓ２とを介して第１列ＴＦＴ（図１に示すような、薄膜トランジスタＴ１１、薄膜トランジスタＴ２１、…、薄膜トランジスタＴｎ１）及び第２列ＴＦＴ（図１に示すような、薄膜トランジスタＴ１２、薄膜トランジスタＴ２２、…、薄膜トランジスタＴｎ２）に対して充電を行なう。上述の１フレームの画面表示が完了した後、行駆動チップ２２は出力をオフにして、全てのＴＦＴが停止する。その際、データ線Ｓ１とデータ線Ｓ２は電圧を液晶ユニットに出力することができないが、データ線Ｓ１とデータ線Ｓ２は依然として前フレーム画面の電圧を維持するため、第１共通電圧発生サブ回路１１がデータ線Ｓ１の保持電圧Ｖ１とデータ線Ｓ２の保持電圧Ｖ２を得て、且つ、データ線Ｓ１の保持電圧Ｖ１とデータ線Ｓ２の保持電圧Ｖ２の平均値をデータ線Ｓ１とデータ線Ｓ２に対応した液晶ユニットの共通端子に出力する。そのため、次のフレームの画面を表示する際に、データ線Ｓ１とデータ線Ｓ２に対応した液晶ユニットの共通端子の共通電圧は、ＶＣＯＭ１＝（Ｖ１＋Ｖ２）／２となる。
【００３３】
本発明の実施形態における第１共通電圧発生サブ回路１１は、各２フレームの画面表示の空隙時間に、データ線Ｓ１とデータ線Ｓ２に対応した液晶表示ユニットの共通電圧を調整することができ、各フレームの画面が表示される前に、いずれもＶＣＯＭ１領域（図１に示すような、第１列のＴＦＴと第２列のＴＦＴに対応する領域）内の液晶ユニット（即ち、データ線Ｓ１とデータ線Ｓ２に対応した液晶ユニット）の共通電圧を校正することができ、ＶＣＯＭ１領域の点滅を減少させ、液晶ディスプレイ全体のフリッカー値を低減させることによって、表示効果が向上する。
【００３４】
理解の便宜上、以下の共通電圧発生回路は、いずれも第１共通電圧発生サブ回路１１を例にとって説明する。
【００３５】
選択的に、図２を参照されたい。図２は、本発明の一実施形態で開示する共通電圧発生回路の具体的な構造概略図である。図２に示すように、第１共通電圧発生サブ回路１１は、電圧フォロアＵ１と、２つのスイッチ管（図２に示すような、スイッチ管Ｔ１及びスイッチ管Ｔ２）とを含み、スイッチ管Ｔ１及びスイッチ管Ｔ２のゲート電極ｇはいずれもデータ駆動チップ２１の制御端子Ｅ１に接続されており、スイッチ管Ｔ１及びスイッチ管Ｔ２のソース電極ｓはそれぞれデータ線Ｓ１とデータ線Ｓ２に接続されており、スイッチ管Ｔ１及びスイッチ管Ｔ２のドレイン電極ｄはいずれも電圧フォロアＵ１の非反転入力端子に接続されており、電圧フォロアＵ１の反転入力端子は電圧フォロアＵ１の出力端子ｏｕｔに接続されており、電圧フォロアＵ１の出力端子ｏｕｔはデータ線Ｓ１とデータ線Ｓ２に対応した液晶ユニット（データ線Ｓ１は液晶ユニットＬ１１、Ｌ２１、…、Ｌｎ１に対応し；データ線Ｓ２は液晶ユニットＬ１２、Ｌ２２、…、Ｌｎ２）の共通端子ｃｐｏｒｔに接続されている。
【００３６】
電圧フォロアＵ１の出力は常にその非反転入力端子に追従し、即ち、図２に示すような電圧フォロワＵ１の出力端子ｏｕｔの電圧と電圧フォロワＵ１の非反転入力端子の電圧は等しい。スイッチ管Ｔ１及びスイッチ管Ｔ２がいずれもオンであるとき、電圧フォロワＵ１の非反転入力端子は同時にデータ線Ｓ１とデータ線Ｓ２に連通する。２つのフレームの画面表示の空隙時間において、行駆動チップ２２が出力をオフにするため、全ての走査線（Ｇ１、Ｇ２、…、Ｇｎ）はＶＣＯＭ１領域内のＴＦＴをオンにすることができない。ここで、ＶＣＯＭ１領域内のＴＦＴは、第１列のＴＦＴと第２列のＴＦＴとを含み、第１列のＴＦＴはＴ１１、Ｔ２１、…、Ｔｎ１を含み；第２列のＴＦＴはＴ１２、Ｔ２２、…、Ｔｎ２を含む。
【００３７】
２つのフレームの画面表示の空隙時間において、データ線Ｓ１とデータ線Ｓ２は依然として前フレームの電圧を維持するが、データ線Ｓ１の保持電圧とデータ線Ｓ２の保持電圧は、第１列のＴＦＴと第２列のＴＦＴとを介して対応する液晶ユニットを充電することができない。その際、データ駆動チップ２１の制御信号の制御端子Ｅ１から有効な制御信号が出力され、当該有効な制御信号はスイッチ管Ｔ１及びスイッチ管Ｔ２をオンにするのに用いられ、データ線Ｓ１の保持電圧Ｖ１とデータ線Ｓ２の保持電圧Ｖ２を短絡させ、且つ、電圧フォロアＵ１の非反転入力端子へと出力される。データ線Ｓ１の保持電圧Ｖ１とデータ線Ｓ２の保持電圧Ｖ２を短絡させることは、２つの電圧源（電圧がＶ１である電圧源と電圧がＶ２である電圧源）を並列につなぐことに相当し、原理的には、電気容量が同一である２つのキャパシタを並列につなぎ、並列につないだ電圧は２つのキャパシタの両端の電圧の平均値となる。以下において、通常の方式により、電圧平均の原理を説明する：キャパシタＣ１の電気容量をＣとし、電圧をＶ１とし、電気量をＱ１とし；キャパシタＣ２の電気容量をＣとし、電圧をＶ２とし、電気量をＱ２とする。電気量を桶中の水の量と理解し、電気容量を桶の横断面の面積と理解し、電圧を桶内の水位の高さと理解した際に、キャパシタＣ１とキャパシタＣ２とを並列につないだ場合、２つの桶の間を水管で連通させることに相当する。このように、キャパシタたる２つの桶の水位が同一となり、即ち、キャパシタＣ１とキャパシタＣ２とを並列につないだ後の電圧は等しく、且つ、Ｖ１とＶ２の平均値に等しい。例えば，キャパシタＣ１とキャパシタＣ２の電気容量値はいずれも１マイクロファラッドであり、並列につなぐ前において、キャパシタＣ１の電圧は１３ボルトであり、キャパシタＣ２の電圧は１ボルトであり、並列につないだ後は、キャパシタＣ１がキャパシタＣ２を充電し、キャパシタＣ１の電位が低下し、キャパシタＣ２の電位が上昇し、両者の電位が同一になるまでに至る。即ち、キャパシタＣ１とキャパシタＣ２の電圧が等しく、且つ７ボルトに等しい。
【００３８】
電圧フォロアＵ１の出力が非反転入力端子に追従するので、電圧フォロアＵ１の出力端子ｏｕｔは、データ線Ｓ１の保持電圧Ｖ１とデータ線Ｓ２の保持電圧Ｖ２の平均値を、データ線Ｓ１とデータ線Ｓ２に対応した液晶ユニット（データ線Ｓ１は液晶ユニットＬ１１、Ｌ２１、…、Ｌｎ１に対応し；データ線Ｓ２は液晶ユニットＬ１２、Ｌ２２、…、Ｌｎ２に対応する）の共通端子ｃｐｏｒｔに出力する。
【００３９】
或るフレームの画像表示時間に入る際、データ駆動チップ２１の制御端子Ｅ１から出力されるのは無効の制御信号である。当該無効の制御信号はスイッチ管Ｔ１とスイッチ管Ｔ２をオンにすることができない。このように、データ線Ｓ１とデータ線Ｓ２との接続が切断され、データ線Ｓ１とデータ線Ｓ２が接続されていないことに相当する（一方、上述において、２つのフレームの画面表示の空隙時間において、データ行駆動チップ２１の制御端子Ｅ１から出力される有効な制御信号は、スイッチ管Ｔ１とスイッチ管Ｔ２とをオンにすることができ、データ線Ｓ１とデータ線Ｓ２とを短絡させる）。このように、隣接する２列のデータ線間は干渉が起こることはなく、液晶表示回路２０は正常に表示を行なう。このとき、第１共通電圧生成サブ回路１１から出力された電圧は依然として、前フレームの画像と現フレームの画像との間隙に当該第１共通電圧生成サブ回路１１から出力された電圧を保持する。これによって、第１共通電圧生成サブ回路１１が液晶表示回路２０の正常な画面表示を干渉しないことを保証できる。
【００４０】
選択的に、図３を参照されたい。図３は、本発明の一実施形態で開示するその他の共通電圧発生回路の具体的な構造概略図である。図３に示すように、第１共通電圧発生サブ回路１１は、電圧フォロアＵ１と、２つのスイッチ管（図３に示すような、スイッチ管Ｔ１及びスイッチ管Ｔ２）とを含んでいる。スイッチ管Ｔ１及びスイッチ管Ｔ２のゲート電極ｇはいずれもデータ駆動チップ２１の制御端子Ｅ１に接続されており、スイッチ管Ｔ１及びスイッチ管Ｔ２のソース電極ｓはそれぞれデータ線Ｓ１とデータ線Ｓ２に接続されており、スイッチ管Ｔ２のドレイン電極ｄは電圧フォロアＵ１の非反転入力端子に接続されており、スイッチ管Ｔ２のソース電極ｓはスイッチＴ１のドレイン電極ｄに接続されており、電圧フォロアＵ１の反転入力端子は電圧フォロアＵ１の出力端子ｏｕｔに接続されており、電圧フォロアＵ１の出力端子ｏｕｔはデータ線Ｓ１とデータ線Ｓ２に対応した液晶ユニット（データ線Ｓ１は液晶ユニットＬ１１、Ｌ２１、…、Ｌｎ１に対応し；データ線Ｓ２は液晶ユニットＬ１２、Ｌ２２、…、Ｌｎ２に対応する）の共通端子ｃｐｏｒｔに接続されている。
【００４１】
ここで、図３に示すような電圧フォロワＵ１の出力端子ｏｕｔの電圧は、電圧フォロワＵ１の非反転入力端子の電圧と等しい。スイッチ管Ｔ１及びスイッチ管Ｔ２がいずれもオン状態にある場合、電圧フォロワＵ１の非反転入力端子は同時にデータ線Ｓ１とデータ線Ｓ２に連通する。２つのフレームの画面表示の空隙時間において、行駆動チップ２２が出力をオフにするため、全ての走査線（Ｇ１、Ｇ２、…Ｇｎ）は、ＶＣＯＭ１領域内のＴＦＴをオンにすることができない。ここで、ＶＣＯＭ１領域内のＴＦＴは、第１列のＴＦＴと第２列のＴＦＴとを含み、第１列のＴＦＴはＴ１１、Ｔ２１、…、Ｔｎ１を含み；第２列のＴＦＴはＴ１２、Ｔ２２、…、Ｔｎ２を含む。
【００４２】
２つのフレームの画面表示の空隙時間において、データ線Ｓ１とデータ線Ｓ２は依然として前フレームの電圧を維持するが、データ線Ｓ１の保持電圧とデータ線Ｓ２の保持電圧は第１列のＴＦＴと第２列のＴＦＴとを介して対応する液晶ユニットを充電することができない。その際、データ駆動チップ２１の制御信号の制御端子Ｅ１から有効な制御信号が出力され、当該有効な制御信号はスイッチ管Ｔ１及びスイッチ管Ｔ２をオンにするのに用いられ、データ線Ｓ１の保持電圧Ｖ１とデータ線Ｓ２の保持電圧Ｖ２を短絡させ、且つ、スイッチ管Ｔ２のソース電極へと出力され、スイッチ管Ｔ２のドレイン電極を介して電圧フォロアＵ１の非反転入力端子へと出力される。データ線Ｓ１の保持電圧Ｖ１とデータ線Ｓ２の保持電圧Ｖ２を短絡させることは、２つの電圧源（電圧がＶ１である電圧源と電圧がＶ２である電圧源）を並列につなぐことに相当し、原理的には、電気容量が同一である２つのキャパシタを並列につなぎ、並列につないだ電圧は２つのキャパシタの両端の電圧の平均値となる。以下において、通常の方式により、電圧平均の原理を説明する：キャパシタＣ１の電気容量をＣとし、電圧をＶ１とし、電気量をＱ１とし；キャパシタＣ２の電気容量をＣとし、電圧をＶ２とし、電気量をＱ２とする。電気量を桶中の水の量と理解し、電気容量を桶の横断面の面積と理解し、電圧を桶内の水位の高さと理解した際に、キャパシタＣ１とキャパシタＣ２とを並列につないだ場合、２つの桶の間を水管で連通させることに相当する。このように、キャパシタたる２つの桶の水位が同一となり、即ち、キャパシタＣ１とキャパシタＣ２とを並列につないだ後の電圧は等しく、且つ、Ｖ１とＶ２の平均値に等しい。例えば，キャパシタＣ１とキャパシタＣ２の電気容量値はいずれも１マイクロファラッドであり、並列につなぐ前において、キャパシタＣ１の電圧は１３ボルトであり、キャパシタＣ２の電圧は１ボルトであり、並列につないだ後は、キャパシタＣ１がキャパシタＣ２を充電し、キャパシタＣ１の電位が低下し、キャパシタＣ２の電位が上昇し、両者の電位が同一になるまでに至る。即ち、キャパシタＣ１とキャパシタＣ２の電圧が等しく、且つ７ボルトに等しい。
【００４３】
電圧フォロアＵ１の出力が非反転入力端子に追従するので、電圧フォロアＵ１の出力端子ｏｕｔは、データ線Ｓ１の保持電圧Ｖ１とデータ線Ｓ２の保持電圧Ｖ２の平均値を、データ線Ｓ１とデータ線Ｓ２に対応した液晶ユニット（データ線Ｓ１は液晶ユニットＬ１１、Ｌ２１、…、Ｌｎ１に対応し；データ線Ｓ２は液晶ユニットＬ１２、Ｌ２２、…、Ｌｎ２に対応する）の共通端子ｃｐｏｒｔに出力する。
【００４４】
或るフレームの画像表示時間に入る際、データ駆動チップ２１の制御端子Ｅ１から出力されるのは無効の制御信号である。当該無効の制御信号はスイッチ管Ｔ１とスイッチ管Ｔ２をオンにすることができない。このように、データ線Ｓ１とデータ線Ｓ２との接続が切断され、液晶表示回路２０は正常な表示を行なう。このとき、第１共通電圧生成サブ回路１１から出力された電圧は依然として、前フレームの画像と現フレームの画像との間隙に当該第１共通電圧生成サブ回路１１から出力された電圧を保持する。これによって、第１共通電圧生成サブ回路１１が液晶表示回路２０の正常な画面表示を干渉しないことを保証できる。
【００４５】
選択的に、上記スイッチ管Ｔ１とスイッチ管Ｔ２は、金属酸化物半導体電界効果トランジスタ、即ち、ＭＯＳ管であってもよい。当該ＭＯＳ管はＮＭＯＳ管である場合には、データ駆動チップ２１の制御端子Ｅ１から有効な制御信号（例えば、高電気レベルの信号）が出力されることで、スイッチ管Ｔ１とスイッチ管Ｔ２がオンするように制御され；当該ＭＯＳ管がＰＭＯＳ管である場合には、データ駆動チップ２１の制御端子Ｅ１から有効な制御信号（例えば、低電気レベルの信号）が出力されることで、スイッチ管Ｔ１とスイッチ管Ｔ２がオンするように制御される。
【００４６】
選択的に、液晶表示回路２０は列反転表示回路であり、アレイＴＦＴ中の任意の隣接する２列のＴＦＴに対応する液晶ユニットの電圧極性は逆である。図４に示すように、図４は、本発明の一実施形態で開示する液晶ユニットアレイにおける電圧極性の変化を示す図である。第Ｎフレームの画面の際、データ線Ｓ１に対応した第１列の液晶ユニットの電圧極性は正であり、データ線Ｓ２に対応した第２列の液晶ユニットの電圧極性は負であり、データ線Ｓ３に対応した第３列の液晶ユニットの電圧極性は正であり、データ線Ｓ４に対応した第４列の液晶ユニットの電圧極性は負であり…以降同様に類推される。第Ｎ＋１フレームの画面の際、データ線Ｓ１に対応した第１列の液晶ユニットの電圧極性は負であり、データ線Ｓ２に対応した第２列の液晶ユニットの電圧極性は正であり、データ線Ｓ３に対応した第３列の液晶ユニットの電圧極性は負であり、データ線Ｓ４に対応した第４列の液晶ユニットの電圧極性は正であり、…以降同様に類推される。
【００４７】
本発明の実施形態はさらに、図１、図２及び図３のいずれかの図に示される共通電圧発生回路を含む液晶ディスプレイを提供する。図１〜４に示す共通電圧発生回路については、上記説明を参照されたい。ここでは、それらの説明を省略する。
【００４８】
本明細書中の説明において、参考に供される用語である「一つの実施形態」、「いくつかの実施形態」、「例示」、「具体的な例示」又は「いくつかの例示」等の説明の意味するところは、当該実施形態又は例示で説明した具体的な特徴、構造、材料、又は特性を結合させ、これらは少なくとも１つの実施形態又は例示中に含まれる、ということである。本明細書において、上記用語に関わる概念的な表現は、必ずしも同一の実施形態又は例示を指し示す訳ではない。加えて、説明した具体的な特徴、構造、材料、または特性は、いずれか１つの又は複数の実施形態或いは例示において、適切な方法で結合させることができる。
【００４９】
以上において、本発明の実施形態が提供する共通電圧発生回路及び液晶ディスプレイに対する詳細な紹介を行なったが、本明細書では、具体例を用いて本発明の原理及び実施形態に対して説明を行なっている。上記の例示における説明は、単に本発明の方法及びその核心的な思想の理解を助けるために用いられるものである。また、本分野の通常の技術者は、本発明の思想に基づいて、具体的な実施形態及び応用範囲内において変更を施す場合がある。このように、本明細書の内容は、本発明を限定するものと理解すべきではない。
【図１】
0006844041.tif 000002
【図２】
0006844041.tif 000003
【図３】
0006844041.tif 000004
【図４】
0006844041.tif 000005